【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】
デジタルフォーマットの分離した連続するデータパケットに配列された情報を表す情報信号のリアルタイムのストリームを、タイムスタンプを備える情報信号の非リアルタイムのストリームに変換する方法であって、該方法が前記情報信号の直列のストリームを受信するステップ、及び該情報信号の直列ストリーム内のデータパケットを検出し、その際に検出された各データパケットに対して、前記データパケットの到来時刻を確立すると共に、前記到来時刻に関係するタイムスタンプデータを発生するステップを有する方法において、
幾つかのデータパケットの複数のタイムスタンプデータをタイムスタンプパケットにグループ化し、該タイムスタンプパケットを表すタイムスタンプパケット信号を発生し、前記受信された情報信号の直列ストリームと前記発生されたタイムスタンプパケット信号とを、前記タイムスタンプデータと対応するデータパケットとの間に固有の関連付けが確立されるようにして送信することを特徴とし、さらに前記データパケットは固定数Ｎのデジタルワードを有し、前記タイムスタンプはＭ個のデジタルデータ単位を有し、Ｍ≦Ｎであり、前記タイムスタンプパケットがＮ個のデジタルワードを有することを特徴とする方法。
【請求項２】
請求項１に記載の方法において、前記タイムスタンプパケットに識別情報を設けることを特徴とする方法。
【請求項３】
請求項１又は２に記載の方法において、前記タイムスタンプパケットにおける前記タイムスタンプデータに、対応するデータパケットを示す関連付け情報を設けることを特徴とする方法。
【請求項４】
請求項１又は２に記載の方法において、１つのタイムスタンプパケット内における前記複数のタイムスタンプデータを、対応するデータパケットの送信順に従う順番でグループ化することを特徴とする方法。
【請求項５】
請求項１ないし４の何れか一項に記載の方法において、前記タイムスタンプパケットと共に符号化又は復号目的で採用された合成データパケットの論理ブロックを形成するようなデータパケットに対応するタイムスタンプデータのみを、１つのタイムスタンプパケットにグループ化することを特徴とする方法。
【請求項６】
請求項５に記載の方法において、前記データパケットの論理ブロックが、エラー符号化又はエラー訂正用に採用されたブロックに対応することを特徴とする方法。
【請求項７】
請求項５に記載の方法において、一連のデータパケットが符号化されたビデオ画像を表し、１つの画像の最初のデータパケットがデータパケットの論理ブロックの最初のデータパケットに対応することを特徴とする方法。
【請求項８】
請求項５に記載の方法において、一連のデータパケットが符号化されたビデオ画像を表し、前記データパケットの論理ブロックが一群のビデオ画像に基づいて選択されることを特徴とする方法。
【請求項９】
請求項１ないし８の何れか一項に記載の方法において、前記タイムスタンプパケット信号を、受信装置を伝送チャンネルを介して送信装置と時間同期させるために送信することを特徴とする方法。
【請求項１０】
請求項５に記載の方法において、データパケットの論理ブロックの送信に先行して同期信号を送信することを特徴とする方法。
【請求項１１】
請求項１ないし１０の何れか一項に記載の方法において、前記データパケットはＮ＝１８８バイトなるＭＰＥＧ伝送ストリームパケットに従いフォーマットされており、前記タイムスタンプデータをＮ＝１８８バイトのタイムスタンプパケットにグループ化することを特徴とする方法。
【請求項１２】
デジタルフォーマットの分離した連続するデータパケットに配列された情報を表す情報信号及び請求項１ないし１２の何れか一項に記載の方法により発生されたタイムスタンプパケット信号のストリームを、情報信号のパケット化されたストリームに変換する方法において、
前記情報信号及びタイムスタンプパケット信号の直列のストリームを受信し、
前記タイムスタンプパケット信号を検出し、
前記検出されたタイムスタンプパケット信号からタイムスタンプ信号を分離し、
分離されたタイムスタンプ信号を、対応するデータパケットの情報信号に関連付け、
前記分離されたタイムスタンプ信号に基づいてタイムスタンプを決定し、
前記タイムスタンプに基づいて同期信号を発生して、前記データパケットの送信時刻を得、
前記発生された同期信号により同期された前記データパケットを表す情報信号を送信する、
各ステップを有していることを特徴とする方法。
【請求項１３】
請求項１２に記載の方法において、前記タイムスタンプパケット信号に付随する識別情報に基づいて前記タイムスタンプパケット信号を検出することを特徴とする方法。
【請求項１４】
請求項１２又は請求項１３に記載の方法において、分離されたタイムスタンプ信号を、対応するデータパケットに付随する関連付け情報に基づいて、前記対応するデータパケットの情報信号に関連付けることを特徴とする方法。
【請求項１５】
請求項１２又は請求項１３に記載の方法において、分離されたタイムスタンプ信号を、前記タイムスタンプの受信された順序に基づいて、対応するデータパケットの情報信号に関連付けることを特徴とする方法。
【請求項１６】
請求項１２ないし１５の何れか一項に記載の方法において、受信されたタイムスタンプパケット信号に基づいて時間同期をとることを特徴とする方法。
【請求項１７】
デジタルフォーマットの分離した連続するデータパケットに配列された情報を表す情報信号のリアルタイムのストリームを、タイムスタンプを備える情報信号の非リアルタイムのストリームに変換する変換手段であって、
前記情報信号の直列のストリームを受信する入力端子と、
該情報信号の直列ストリーム内の前記データパケットを検出する検出手段と、
前記検出されたデータパケットの到来時刻を確立するタイミング手段と、
前記到来時刻に関するタイムスタンプデータを発生するタイムスタンプ発生手段と、
を有するような変換手段において、該変換手段が、
複数の前記の発生されたタイムスタンプデータを、タイムスタンプデータパケットにグループ化するグループ化手段と、
該タイムスタンプデータパケットを表すタイムスタンプパケット信号を発生するタイムスタンプパケット信号発生手段と、
前記受信された情報信号の直列ストリームと前記発生されたタイムスタンプパケット信号とを、前記タイムスタンプデータと対応するデータパケットとの間に固有の関連付けが確立されるようにして一緒に送信する送信手段と、
を有する変換手段において、
該変換手段は固定数Ｎのデジタルワードを有するデータパケットを処理するように構成され、前記タイムスタンプ発生手段はＭ≦ＮであるようなＮ個のデジタルワードを有するタイムスタンプデータを発生するように構成され、前記タイムスタンプパケット信号発生手段はＮ個のデジタルワードを有するタイムスタンプデータのパケットを表すタイムスタンプパケット信号を発生するように構成されていることを特徴とする変換手段。
【請求項１８】
請求項１７に記載の変換手段において、前記タイムスタンプパケット信号発生手段は、前記タイムスタンプパケットに識別情報を設けるように構成されていることを特徴とする変換手段。
【請求項１９】
請求項１７又は１８に記載の変換手段において、前記タイムスタンプパケット信号発生手段は、前記タイムスタンプパケットにおける各タイムスタンプに、対応するデータパケットを示す関連付け情報を設けるように構成されていることを特徴とする変換手段。
【請求項２０】
請求項１７又は１８に記載の変換手段において、前記グループ化手段は、１つのタイムスタンプパケット内における前記複数のタイムスタンプデータを、前記送信手段による対応するデータパケットの送信の順番に従って順番付けするように構成されていることを特徴とする変換手段。
【請求項２１】
請求項１７ないし２０の何れか一項に記載の変換手段において、前記グループ化手段は、前記タイムスタンプパケットと共に符号化又は復号目的で採用された合成データパケットの論理ブロックを形成するようなデータパケットに対応するタイムスタンプデータのみを、１つのタイムスタンプパケットにグループ化するように構成されていることを特徴とする変換手段。
【請求項２２】
請求項２１に記載の変換手段において、前記データパケットの論理ブロックが、エラー符号化又はエラー訂正用に採用されたブロックに対応することを特徴とする変換手段。
【請求項２３】
請求項２１に記載の変換手段において、一連のデータパケットが符号化されたビデオ画像を表し、１つの画像の最初のデータパケットがデータパケットの論理ブロックの最初のデータパケットに対応することを特徴とする変換手段。
【請求項２４】
請求項２１に記載の変換手段において、一連のデータパケットが符号化されたビデオ画像を表し、前記データパケットの論理ブロックが一群のビデオ画像に基づいて選択されることを特徴とする変換手段。
【請求項２５】
請求項１７ないし２１の何れか一項に記載の変換手段において、前記送信手段は前記タイムスタンプパケット信号を、伝送チャンネルを介して受信装置を時間同期させるために送信することを特徴とする変換手段。
【請求項２６】
請求項２２に記載の変換手段において、前記送信手段は、
データパケットの論理ブロックの送信に先行して同期信号を送信するように構成されていることを特徴とする変換手段。
【請求項２７】
請求項１９ないし２６の何れか一項に記載の変換手段において、該変換手段は、Ｎ＝１８８バイトなるＭＰＥＧ伝送ストリームパケットに従いフォーマットされたデータパケットを表す情報信号を受信及び送信すると共に、前記タイムスタンプデータをＮ＝１８８バイトのタイムスタンプパケットにグループ化するように構成されていることを特徴とする変換手段。
【請求項２８】
請求項１ないし１１の何れか一項に記載の方法により発生されたタイムスタンプパケット信号を伴う、デジタルフォーマットの分離した連続するデータパケットに配列された情報を表す情報信号のストリームを、情報信号のパケット化されたストリームに変換する変換手段において、
前記情報信号及びタイムスタンプパケット信号の直列のストリームを受信する入力端子と、
前記受信されたタイムスタンプパケット信号を検出する検出手段と、
前記検出されたタイムスタンプパケット信号からタイムスタンプ信号を分離する分離手段と、
分離されたタイムスタンプ信号を、対応するデータパケットを表す情報信号に関連付ける関連付け手段と、
前記分離されたタイムスタンプ信号に基づいてタイムスタンプを決定する決定手段と、
前記データパケットの送信時刻を表す前記タイムスタンプに基づいて同期信号を発生する発生手段と、
前記発生された同期信号により同期された前記データパケットを表す情報信号を送信する送信手段と、
を有していることを特徴とする変換手段。
【請求項２９】
請求項２８に記載の変換手段において、前記検出手段は、
前記タイムスタンプパケットに付随する識別情報に基づいて前記受信されたタイムスタンプパケット信号を検出するように構成されていることを特徴とする変換手段。
【請求項３０】
請求項２８又は請求項２９に記載の変換手段において、前記関連付け手段は、分離されたタイムスタンプ信号を、該タイムスタンプ信号に付随する関連付け情報に基づいて、対応するデータパケットの情報信号に関連付けることを特徴とする変換手段。
【請求項３１】
請求項２８又は請求項２９に記載の変換手段において、前記関連付け手段は、分離されたタイムスタンプ信号を、前記タイムスタンプの受信された順序に基づいて、対応するデータパケットの情報信号に関連付けることを特徴とする変換手段。
【請求項３２】
請求項２８ないし３１の何れか一項に記載の変換手段において、前記送信手段は、タイムスタンプパケット信号に基づいて時間的に同期をとるように構成されていることを特徴とする変換手段。
【請求項３３】
デジタルフォーマットの分離した連続するデータパケットに配列された情報を表す情報信号のパケット化されたストリームを記憶及び取り出すシステムにおいて、
前記情報信号を受信する入力端子と、
該入力端子に接続された請求項１７ないし２７の何れか一項に記載の第１変換手段と、
前記第１変換手段に接続されて、該第１変換手段により出力される変換された信号を記憶する記憶手段と、
前記記憶手段に接続されて前記記憶された信号を受信する請求項２８ないし３２の何れか一項に記載の第２変換手段と、
前記第２変換手段に接続されて、該第２変換手段により変換された信号を出力する出力端子と、
を有していることを特徴とするシステム。
【請求項３４】
請求項３３に記載のシステムにおいて、前記変換手段は、
前記受信された情報信号と同一のフォーマットに従い信号を伝送するように構成されたバスにより前記記憶手段に接続されていることを特徴とするシステム。
【請求項３５】
請求項３４に記載のシステムにおいて、Ｎ＝１８８バイトなるＭＰＥＧ伝送ストリームパケットに従ってフォーマットされたパケットを表す情報信号を受信するように構成され、前記の相互接続するバスがＮ＝１８８バイトなるパケットを表す信号を伝送するように構成されていることを特徴とするシステム。
【請求項３６】
デジタルフォーマットの分離した連続するデータパケットに配列された情報を表す情報信号のパケット化されたストリームを記憶及び取り出すシステムにおいて、
前記情報信号を受信する入力端子と、
該入力端子に接続されて、請求項１ないし１１の何れか一項に記載の方法により信号を変換する汎用データ処理手段と、
前記汎用データ処理手段に接続されて、該汎用データ処理手段により出力される変換された信号を記憶する記憶手段と、
を有し、
前記汎用データ処理手段は、更に、前記記憶手段に接続されて、前記記憶された信号を請求項１２ないし１６の何れか一項に記載の方法に従って受信すると共に変換し、
前記システムは、更に、
前記汎用データ処理手段に接続されて前記記憶され且つ変換された信号を出力する出力端子、
を有していることを特徴とするシステム。
【請求項３７】
デジタルフォーマットの分離した連続するデータパケットに配列された情報を表す情報信号のパケット化されたストリームを、前記情報信号のパケット化されたストリームのデジタルフォーマットに従って信号を伝送するように構成された伝送バスを介して伝送する方法において、
前記情報信号のパケット化されたストリームを、請求項１ないし１１の何れか一項に記載の方法に従いタイムスタンプ信号を伴う情報信号のストリームに変換し、
次いで、このタイムスタンプパケットを伴う情報信号のストリームを、前記伝送バスを介して送信する、
ことを特徴とする方法。